(57)【特許請求の範囲】
【請求項１】
目地部を介して設けられた左右の建物の目地部側の壁面にそれぞれヒンジ部材を介して水平方向に回動可能に取付けられた一対の支持バーと、この一対の支持バーに両端部が枢支された少なくとも２個以上の四角枠あるいはパンタグラフ形状の伸縮リンク機構と、前記一対の支持バーの一方の支持バーに固定された、前記目地部の一方側を覆う固定目地カバーと、前記一対の支持バーの他方の支持バーにヒンジ部材を介して先端部が水平方向に回動するように取付けられた先端部が前記固定目地カバーの少なくとも一部と重なり、目地部が狭くなると該固定目地カバー上に乗り上がるように形成された枠および、この枠に固定されたカバーとからなる可動目地カバーと、前記少なくとも２個以上のパンタグラフ形状の伸縮リンク機構の中央部の枢支部に枢支された中央支持バーと、前記可動目地カバーの枠に水平方向に少なくとも２個以上固定されたスライドレールと、このスライドレールに一端部がスライド移動可能に取付けられ、他端部が前記中央支持バーに形成された上下方向に長い長孔を貫通して、前記可動目地カバーを中央支持バー方向に付勢するように付勢スプリングを介して該中央支持バーに取付けられた少なくとも２個以上の可動目地カバー付勢機構とを備えることを特徴とする壁面用目地装置。
【請求項２】
目地部を介して設けられた左右の建物の目地部側の壁面にそれぞれヒンジ部材を介して水平方向に回動可能に取付けられた一対の支持バーと、この一対の支持バーに両端部が枢支された少なくとも２個以上の四角枠あるいはパンタグラフ形状の伸縮リンク機構と、前記一対の支持バーの一方の支持バーに固定された、前記目地部の一方側を覆う固定目地カバーと、前記一対の支持バーの他方の支持バーにヒンジ部材を介して先端部が水平方向に回動するように取付けられた先端部が前記固定目地カバーの少なくとも一部と重なり、目地部が狭くなると該固定目地カバー上に乗り上がるように形成された枠および、この枠に固定されたカバーとからなる可動目地カバーと、前記少なくとも２個以上のパンタグラフ形状の伸縮リンク機構の中央部の枢支部に枢支された中央支持バーと、前記可動目地カバーの枠に水平方向に少なくとも２個以上固定されたスライドレールと、このスライドレールに一端部がスライド移動可能に取付けられ、他端部が前記中央支持バーに形成された上下方向に長い長孔を貫通して、前記可動目地カバーを中央支持バー方向に付勢するように付勢スプリングを介して該中央支持バーに取付けられた少なくとも２個以上の可動目地カバー付勢機構と、前記固定目地カバーと前記一方の目地部側の壁面との間を覆う伸縮可能な化粧材と、前記可動目地カバーと前記他方の目地部側の壁面との間を覆う伸縮可能な化粧材とを備えることを特徴とする壁面用目地装置。
【請求項３】
目地部を介して設けられた左右の建物の目地部側の壁面にそれぞれヒンジ部材を介して水平方向に回動可能に取付けられた一対の支持バーと、この一対の支持バーに両端部が枢支された少なくとも２個以上の四角枠あるいはパンタグラフ形状の伸縮リンク機構と、前記一対の支持バーの一方の支持バーに固定された、前記目地部の一方側を覆う固定目地カバーと、前記一対の支持バーの他方の支持バーにヒンジ部材を介して先端部が水平方向に回動するように取付けられた先端部が前記固定目地カバーの少なくとも一部と重なり、目地部が狭くなると該固定目地カバー上に乗り上がるように形成された枠および、この枠に固定されたカバーとからなる可動目地カバーと、前記少なくとも２個以上のパンタグラフ形状の伸縮リンク機構の中央部の枢支部に枢支された中央支持バーと、前記可動目地カバーの枠に水平方向に少なくとも２個以上固定されたスライドレールと、このスライドレールに一端部がスライド移動可能に取付けられ、他端部が前記中央支持バーに形成された上下方向に長い長孔を貫通して、前記可動目地カバーを中央支持バー方向に付勢するように付勢スプリングを介して該中央支持バーに取付けられた少なくとも２個以上の可動目地カバー付勢機構と、前記固定目地カバーと前記一方の目地部側の壁面との間を覆う蛇腹状の伸縮カバーと、前記可動目地カバーと前記他方の目地部側の壁面との間を覆う蛇腹状の伸縮カバーとを備えることを特徴とする壁面用目地装置。
【発明の詳細な説明】
【０００１】
【発明の属する技術分野】
本発明は左右の建物の壁面間の目地部を覆う壁面用目地装置に関する。
【０００２】
【従来の技術】
従来、左右の建物の壁面間の目地部を覆う壁面用目地装置は、一方の建物にヒンジ部材を介して回動可能に取付けられた一方の壁パネルと、この一方の壁パネルの先端部と先端部が重なり合うように他方の建物にヒンジ部材を介して回動可能に取付けられた他方の壁パネルと、外側に位置する他方の壁パネルの後端部に所定間隔で後端部が取付けられた先端部が前記一方の壁パネルの内側面に接触して支持する複数個の支持バーとで構成されている。
【０００３】
【発明が解決しようとする課題】
従来の壁面用目地装置は一方の壁パネルと他方の壁パネルとを先端部で重ね合わせるため、段差が生じ、見苦しくなるという欠点があるとともに、この重ね合わされた寸法分だけの移動にしか対応することができず、十分な移動量を確保することができず、免震構造の建物等、移動量が大きく設定される場所には使用することができないという欠点があった。
【０００４】
本発明は以上のような従来の欠点に鑑み、目地部をほぼ１枚の目地カバーで覆って、段差が生じて見苦しくなるのを防止するとともに、十分な移動量を確保して、免震構造の建物等にも使用することができる壁面用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の建物の目地部側の壁面にそれぞれヒンジ部材を介して水平方向に回動可能に取付けられた一対の支持バーと、この一対の支持バーに両端部が枢支された少なくとも２個以上の四角枠あるいはパンタグラフ形状の伸縮リンク機構と、前記一対の支持バーの一方の支持バーに固定された、前記目地部の一方側を覆う固定目地カバーと、前記一対の支持バーの他方の支持バーにヒンジ部材を介して先端部が水平方向に回動するように取付けられた先端部が前記固定目地カバーの少なくとも一部と重なり、目地部が狭くなると該固定目地カバー上に乗り上がるように形成された枠および、この枠に固定されたカバーとからなる可動目地カバーと、前記少なくとも２個以上のパンタグラフ形状の伸縮リンク機構の中央部の枢支部に枢支された中央支持バーと、前記可動目地カバーの枠に水平方向に少なくとも２個以上固定されたスライドレールと、このスライドレールに一端部がスライド移動可能に取付けられ、他端部が前記中央支持バーに形成された上下方向に長い長孔を貫通して、前記可動目地カバーを中央支持バー方向に付勢するように付勢スプリングを介して該中央支持バーに取付けられた少なくとも２個以上の可動目地カバー付勢機構とで壁面用目地装置を構成している。
【０００７】
【発明の実施の形態】
以下、図面に示す実施の形態により、本発明を詳細に説明する。
【０００８】
図１ないし図１０に示す本発明の第１の実施の形態において、１は目地部２を介して設けられた左右の建物３、３の壁面３ａ、３ａ間を該左右の建物３、３が異なる前後左右方向に地震等によって揺れ動いても、その揺れ動きを吸収できるように移動することができる本発明の壁面用目地装置で、この壁面用目地装置１は前記左右の建物３、３の目地部側の壁面３ａ、３ａにヒンジ部材４、４を介して水平方向に回動可能に取付けられた一対のコ字状の支持バー５、５と、この一対の支持バー５、５に両端部が枢支ピン６、６で枢支された少なくとも２個以上のパンタグラフ形状の伸縮リンク機構７、７と、前記一対の支持バー５、５の一方の支持バー５に固定された前記目地部２の一方側を覆う固定目地カバー８と、前記一対の支持バー５、５の他方の支持バー５にヒンジ部材９を介して、先端部が水平方向に回動するように取付けられた先端部が前記固定目地カバー８の少なくとも一部と重なり、目地部２が狭くなると該固定目地カバー８上に乗り上がるように形成された枠１０および、この枠１０に固定されたカバー１１とからなる可動目地カバー１２と、前記少なくとも２個以上のパンタグラフ形状の伸縮リンク機構７、７の中央部の中央枢支部１３、１３に枢支ピン１４、１４で枢支された中央支持バー１５と、前記可動目地カバー１２の枠１０に水平方向に少なくとも２個以上固定されたリップミゾ形鋼形状のスライドレール１６、１６と、このスライドレール１６、１６に一端部がスライド移動可能に取付けられ、他端部が前記中央支持バー１５に形成された上下方向に長い長孔１７、１７を貫通して前記可動目地カバー１２を中央支持バー１５方向に付勢するように付勢スプリング１８、１８を介して該中央支持バー１５に取付けられた少なくとも２個以上の可動目地カバー付勢機構１９、１９と、前記固定目地カバー８と前記一方の目地部側の壁面３ａとの間を覆うシール剤２０と、前記可動目地カバー１２と前記他方の目地部側の壁面３ａとの間を覆うシール剤２１と、前記伸縮リンク機構７、７の背面部の目地部を覆う止水ゴム２２とで構成されている。
【０００９】
前記伸縮リンク機構７、７は図４に示すように、両端部および中央部に枢支部１３を形成する枢支ピン挿入孔２３、２３、２３を有する筒状の支持軸２４、２４、２４が設けられた４個の四角形状が形成されたパンタグラフ形状に形成されたものが使用されている。
【００１０】
前記固定目地カバー８は図５に示すように、前記一方の支持バー５の前面に複数本のビス２５等によって固定される固定バー２６と、この固定バー２６を覆い複数本のビス２７によって該固定バー２６に固定されるコ字状の取付部２８および該取付部２８の一端部より直角方向の外方へ突出するカバー２９とからなる固定目地カバー本体３０とで構成されている。
【００１１】
前記可動目地カバー１２は図６に示すように、角パイプ材で形成された枠１０と、この枠１０の前部を覆うカバー本体３１、このカバー本体３１の後端部と一体形成された係止片３２、前記カバー本体３１の先端部より外方へ突出し、先端部が前記固定目地カバー８の取付部２８に位置した所より背面へ傾斜面３３を有するクランク状に折り曲げられた係止片３４とからなるカバー１１とで構成されている。
【００１２】
前記可動目地カバー付勢機構１９、１９は図７に示すように、前記スライドレール１６、１６に両端部のローラー３５、３５を介してスライド移動可能に取付けられ、他端部が前記中央支持バー１５の長孔１７を貫通するＴ字状の支持杆３６、３６と、この支持杆３６、３６の中央支持バー１５より突出する外周部位に配置された付勢スプリング１８、１８と、この付勢スプリング１８、１８で前記中央支持バー１５を押し圧するように前記支持杆３６、３６の先端部に螺合固定された座金付きナット３７、３７とで構成されている。
【００１３】
上記構成の壁面用目地装置１は、通常時は可動目地カバー１２の先端部が可動目地カバー付勢機構１９、１９の付勢スプリング１８、１８によって、固定目地カバー８に重なるように付勢された状態となり、目地部２をほぼ１枚の可動目地カバー１２で覆った状態に見せることができる。
【００１４】
地震等によって目地部２が狭くなった場合には、図８に示すように可動目地カバー１２の先端部が固定目地カバー８を乗り越えながら前方へ可動目地カバー付勢機構１９、１９の付勢スプリング１８、１８に抗して回動するとともに、常時伸縮リンク機構７、７によって、目地部２の中央部に位置される可動目地カバー付勢機構１９、１９の支持杆３６、３６がスライドレール１６、１６に沿ってスライド移動して、可動目地カバー１２の固定目地カバー８方向の突出および伸縮リンク機構７、７への付勢を可能にしている。
【００１５】
目地部２が広くなった場合には、図９に示すように可動目地カバー１２の先端部が固定目地カバー８より離れる方向に移動するとともに、可動目地カバー付勢機構１９、１９の支持杆３６、３６が伸縮リンク機構７、７によってスライドレール１６、１６をスライド移動して、その揺れ動きを吸収する。
【００１６】
左右の建物３、３が異なる前後方向に揺れ動いた場合には、図１０に示すようにヒンジ部材４、４を介して取付けられた一対の支持バー５、５が水平方向に回動してその揺れ動きを吸収するとともに、この状態で目地部が狭くなったり広くなっても、前述と同様に作動して、その揺れ動きを吸収することができる。
【００１７】
【発明の異なる実施の形態】
次に、図１１ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図１１ないし図１３に示す本発明の第２の実施の形態において、前記本発明の第１の実施の形態と主に異なる点は、固定目地カバー８と一方の目地部側の壁面３ａとの間にゴム材を筒状に形成した化粧材３８と、可動目地カバー１２と他方の目地部側の壁面３ａとの間にゴム材を筒状に形成した化粧材３９とを設けた点で、このように構成した壁面用目地装置１Ａにしても、前記本発明の第１の実施の形態と同様な作用効果が得られるとともに、化粧材３８、３９によって、さらなる美観の向上を図ることができる。
【００１９】
図１４ないし図１６に示す本発明の第３の実施の形態において、前記本発明の第２の実施の形態と主に異なる点は、化粧材にかえ蛇腹状の伸縮カバー４０、４１を用いた点で、このような伸縮カバー４０、４１を用いて構成した壁面用目地装置１Ｂにしても、前記本発明の第２の実施の形態と同様な作用効果が得られるとともに、よりスムーズに可動目地カバー１２や固定目地カバー８を回動させることができる。
【００２０】
図１７ないし図１９に示す本発明の第４の実施の形態において、前記本発明の第３の実施の形態と主に異なる点は、中央支持バー１５の長孔１７、１７部分に滑車４２、４２を設け、スライドレール１６、１６をスライド移動するローラー４３、４３が取付けられた移動体４４、４４に付勢スプリング１８Ａ、１８Ａを介装したワイヤー４５、４５を前記滑車４２、４２を介して取付けた可動目地カバー付勢機構１９Ａ、１９Ａを用いた点で、このように形成された可動目地カバー付勢機構１９Ａ、１９Ａを用いて構成された壁面用目地装置１Ｃにしても、前記本発明の第３の実施の形態と同様な作用効果が得られる。
【００２１】
図２０および図２１に示す本発明の第５の実施の形態において、前記本発明の第１の実施の形態と主に異なる点は、四角枠形状の伸縮リンク機構７Ａ、７Ａを用いた点で、このような伸縮リンク機構７Ａ、７Ａを用いた壁面用目地装置１Ｄは上下方向の寸法が大きく、目地部の幅が小さい場所で使用することができる。
【００２２】
【発明の効果】
以上の説明から明らかなように、本発明にあっては次に列挙する効果が得られる。
【００２３】
（１）目地部を介して設けられた左右の建物の目地部側の壁面にそれぞれヒンジ部材を介して水平方向に回動可能に取付けられた一対の支持バーと、この一対の支持バーに両端部が枢支された少なくとも２個以上の四角枠あるいはパンタグラフ形状の伸縮リンク機構と、前記一対の支持バーの一方の支持バーに固定された、前記目地部の一方側を覆う固定目地カバーと、前記一対の支持バーの他方の支持バーにヒンジ部材を介して先端部が水平方向に回動するように取付けられた先端部が前記固定目地カバーの少なくとも一部と重なり、目地部が狭くなると該固定目地カバー上に乗り上がるように形成された枠および、この枠に固定されたカバーとからなる可動目地カバーと、前記少なくとも２個以上のパンタグラフ形状の伸縮リンク機構の中央部の枢支部に枢支された中央支持バーと、前記可動目地カバーの枠に水平方向に少なくとも２個以上固定されたスライドレールと、このスライドレールに一端部がスライド移動可能に取付けられ、他端部が前記中央支持バーに形成された上下方向に長い長孔を貫通して、前記可動目地カバーを中央支持バー方向に付勢するように付勢スプリングを介して該中央支持バーに取付けられた少なくとも２個以上の可動目地カバー付勢機構とで構成されているので、目地部のほぼ全体を可動目地カバーで覆っても、地震等によって目地部が狭くなったり、広くなっても可動目地カバーがスライド移動したり、前方へ回動してその揺れ動きを損傷することなく吸収することができる。
したがって、目地部を美観を損なうことなく覆うことができる。
【００２４】
（２）前記（１）によって、可動目地カバーに取付けられたスライドレールをスライド移動する可動目地カバー付勢機構によって、可動目地カバーを伸縮リンク機構方向に付勢して、可動目地カバーが風等によってバタついたりするのを確実に阻止することができる。
【００２５】
（３）前記（１）によって、可動目地カバー付勢機構が常時目地部の中央部に位置する伸縮リンク機構の中央枢支部に取付けるとともに、可動目地カバーに取付けられたスライドレールにスライド可能に取付けられているので、可動目地カバーを目地部が狭くなったり、広くなった場合にスムーズにスライド移動させることができるとともに、可動目地カバーを可動目地カバーが移動しても、最良の状態で伸縮リンク機構側に付勢することができる。
【００２６】
（４）前記（１）によって、左右の建物が異なる前後左右方向に揺れ動いても、可動目地カバーがスムーズに移動や付勢スプリングに抗した回動をして、その揺れ動きを吸収することができる。
【００２７】
（５）請求項２、３も前記（１）〜（４）と同様な効果が得られるとともに、化粧材や伸縮カバーによって美観をさらに向上させるとともに、可動目地カバーや固定目地カバーをよりスムーズに動かすことができる。
【図面の簡単な説明】
【図１】本発明の第１の実施の形態の正面図。
【図２】本発明の第１の実施の形態の背面図。
【図３】図１の３−３線に沿う拡大断面図。
【図４】本発明の第１の実施の形態の伸縮リンク機構の説明図。
【図５】本発明の第１の実施の形態の固定目地カバーの説明図。
【図６】本発明の第１の実施の形態の可動目地カバーの説明図。
【図７】本発明の第１の実施の形態の可動目地カバー付勢機構の説明図。
【図８】本発明の第１の実施の形態の目地部が狭くなった動作説明図。
【図９】本発明の第１の実施の形態の目地部が広くなった動作説明図。
【図１０】本発明の第１の実施の形態の異なる前後方向の動作説明図。
【図１１】本発明の第２の実施の形態の正面図。
【図１２】本発明の第２の実施の形態の背面図。
【図１３】図１１の１３−１３線に沿う拡大断面図。
【図１４】本発明の第３の実施の形態の正面図。
【図１５】本発明の第３の実施の形態の背面図。
【図１６】図１４の１６−１６線に沿う拡大断面図。
【図１７】本発明の第４の実施の形態の正面図。
【図１８】本発明の第４の実施の形態の背面図。
【図１９】図１７の１９−１９線に沿う拡大断面図。
【図２０】本発明の第５の実施の形態の正面図。
【図２１】図２０の２１−２１線に沿う拡大断面図。
【符号の説明】
１、１Ａ、１Ｂ、１Ｃ、１Ｄ：壁面用目地装置、
２：目地部、            ３：建物、
３ａ：壁面、            ４：ヒンジ部材、
５：支持バー、          ６：枢支ピン、
７：伸縮リンク機構、    ８：固定目地カバー、
９：ヒンジ部材、        １０：枠、
１１：カバー、          １２：可動目地カバー、
１３：中央枢支部、      １４：枢支ピン、
１５：中央支持バー、    １６：スライドレール、
１７：長孔、            １８、１８Ａ：付勢スプリンング、
１９：可動目地カバー付勢機構、
２０：シール剤、        ２１：シール剤、
２２：止水ゴム、        ２３：枢支ピン挿入孔、
２４：支持軸、          ２５：ビス、
２６：固定バー、        ２７：ビス、
２８：取付部、          ２９：カバー、
３０：固定目地カバー本体、
３１：カバー本体、      ３２：係止片、
３３：傾斜面、          ３４：係止片、
３５：ローラー、        ３６：支持枠、
３７：座金付きナット、  ３８：化粧材、
３９：化粧材、          ４０、４１：伸縮カバー、
４２：滑車、            ４３：ローラー、
４４：移動体、          ４５：ワイヤー。
【図１】
0003691777.tif 000002
【図２】
0003691777.tif 000003
【図３】
0003691777.tif 000004
【図４】
0003691777.tif 000005
【図５】
0003691777.tif 000006
【図６】
0003691777.tif 000007
【図７】
0003691777.tif 000008
【図８】
0003691777.tif 000009
【図９】
0003691777.tif 000010
【図１０】
0003691777.tif 000011
【図１１】
0003691777.tif 000012
【図１２】
0003691777.tif 000013
【図１３】
0003691777.tif 000014
【図１４】
0003691777.tif 000015
【図１５】
0003691777.tif 000016
【図１６】
0003691777.tif 000017
【図１７】
0003691777.tif 000018
【図１８】
0003691777.tif 000019
【図１９】
0003691777.tif 000020
【図２０】
0003691777.tif 000021
【図２１】
0003691777.tif 000022